【手続補正書】
【提出日】平成16年8月23日(2004.8.23)
【手続補正１】
【補正対象書類名】明細書
【補正対象項目名】特許請求の範囲
【補正方法】変更
【補正の内容】
【特許請求の範囲】
【請求項１】
文字を入力する文字キー及び印字の機能に関する種々の設定を行うための機能キーを備え、前記機能キーには特定の言語によって当該キーの機能が予め表記された入力手段と、
前記文字キーの操作により入力された文字列を表示するとともに、前記機能キーの操作に基づいて当該キーの機能に対応する情報を表示する表示手段と、
前記文字キーにより入力された文字列を記録紙に印字する印字手段とを備えた印字装置であって、
前記機能キーの操作に基づいて前記表示手段に表示する情報の言語を前記特定の言語を含む複数の言語から設定する言語設定手段と、
前記特定の言語を除く前記複数の各言語で前記機能キーの表記に関する印字情報を予め記憶する印字情報記憶手段と、
前記言語設定手段によって前記特定の言語とは異なる言語が設定されたときに、前記印字情報記憶手段から前記設定された言語に対応する印字情報を読み出す印字情報読出し手段と、
前記印字情報読出し手段によって読み出された印字情報を前記印字手段によって裏面に接着剤が塗布された印字用テープの印字面に印字する印字制御手段と
を備えることを特徴とする印字装置。
【請求項２】
前記特定の言語を除く前記複数の各言語で前記機能キーの表記に関する表示情報を記憶する表示情報記憶手段と、
前記言語設定手段によって前記特定の言語とは異なる言語が設定されたときに、前記機能キーの表記を前記表示手段で確認する確認モードを設定する確認モード設定手段と、
前記確認モード設定手段によって確認モードが設定され、前記機能キーの操作がなされたときに、前記設定された言語に対応する当該機能キーの表示情報を前記表示情報記憶手段から読み出す表示情報読出し手段と、
前記表示情報読出し手段によって読み出された表示情報を前記表示手段に表示する表示制御手段と
を更に備えることを特徴とする請求項１に記載の印字装置。
【請求項３】
前記特定の言語と前記特定の言語を除く前記複数の各言語とを対応させて前記機能キーの表記に関する表示情報を記憶する表示情報記憶手段と、
前記言語設定手段によって前記特定の言語とは異なる言語が設定されたときに、前記機能キーの表記を前記表示手段で確認する確認モードを設定する確認モード設定手段と、
前記確認モード設定手段によって確認モードが設定され、前記機能キーの操作がなされたときに、前記設定された言語に対応する当該機能キーの表示情報を前記表示情報記憶手段から読み出す表示情報読出し手段と、
前記表示情報読出し手段によって読み出された表示情報を前記表示手段に表示する表示制御手段と
を更に備えることを特徴とする請求項１に記載の印字装置。
【請求項４】
前記印字情報記憶手段は、前記特定の言語でも前記機能キーの表記に関する印字情報を予め記憶し、
前記印字情報読出し手段は、前記言語設定手段によって前記特定の言語が設定されたときに、前記印字情報記憶手段から前記特定の言語に対応する印字情報を読み出すことを特徴とする請求項１に記載の印字装置。
【請求項５】
前記印字情報記憶手段は、前記特定の言語でも前記機能キーの表記に関する印字情報を予め記憶し、
前記印字情報読出し手段は、前記言語設定手段によって前記特定の言語が設定されたときに、前記印字情報記憶手段から前記設定された言語に対応する印字情報を読み出し、
前記表示情報記憶手段は、前記特定の言語でも前記機能キーの表記に関する表示情報を予め記憶し、
前記確認モード設定手段は、前記言語設定手段によって前記特定の言語が設定されたときも、前記機能キーの表記を前記表示手段で確認する確認モードを設定し、
前記表示情報読出し手段は、前記言語設定手段によって前記特定の言語が設定され、かつ前記確認モード設定手段によって確認モードが設定されたときに、前記機能キーの操作がなされると、前記特定の言語に対応する当該機能キーの表示情報を前記表示情報記憶手段から読み出すことを特徴とする請求項２に記載の印字装置。
【請求項６】
装置に装填される前記印字用テープの幅を検出するテープ幅検出手段と、
前記テープ幅検出手段で検出されたテープ幅が特定の幅でないときに前記印字制御手段による印字動作を禁止する印字禁止手段と
を更に備えることを特徴とする請求項１乃至５のいずれかに記載の印字装置。
【請求項７】
前記テープ幅検出手段で検出されたテープ幅が前記特定の幅でないときに前記表示手段にエラー情報を表示するエラー表示制御手段を更に備えることを特徴とする請求項６に記載の印字装置。
【手続補正２】
【補正対象書類名】明細書
【補正対象項目名】０００７
【補正方法】変更
【補正の内容】
【０００７】
【課題を解決するための手段】
本発明の請求項１に係る印字装置は、文字を入力する文字キー及び印字の機能に関する種々の設定を行うための機能キーを備え、前記機能キーには特定の言語によって当該キーの機能が予め表記された入力手段と、前記文字キーの操作により入力された文字列を表示するとともに、前記機能キーの操作に基づいて当該キーの機能に対応する情報を表示する表示手段と、前記文字キーにより入力された文字列を記録紙に印字する印字手段とを備えた印字装置であって、前記機能キーの操作に基づいて前記表示手段に表示する情報の言語を前記特定の言語を含む複数の言語から設定する言語設定手段と、前記特定の言語を除く前記複数の各言語で前記機能キーの表記に関する印字情報を予め記憶する印字情報記憶手段と、前記言語設定手段によって前記特定の言語とは異なる言語が設定されたときに、前記印字情報記憶手段から前記設定された言語に対応する印字情報を読み出す印字情報読出し手段と、前記印字情報読出し手段によって読み出された印字情報を前記印字手段によって裏面に接着剤が塗布された印字用テープの印字面に印字する印字制御手段とを備えることを特徴とする。
【手続補正３】
【補正対象書類名】明細書
【補正対象項目名】０００８
【補正方法】変更
【補正の内容】
【０００８】
このような構成の印字装置によれば、ユーザにより特定の言語以外の言語が設定されたときに、入力手段の機能キーに予め設けられた特定の言語による表記に代わって設ける表記を前記設定された言語で裏面に接着剤が塗布された印字用テープの印字面に印字してユーザに提供できることで、当該印字物を入力手段の機能キーに直接貼り付けてその機能キーの表記を設定した言語に対応したものに変更できる。
【手続補正４】
【補正対象書類名】明細書
【補正対象項目名】００１７
【補正方法】変更
【補正の内容】
【００１７】
また、本発明の請求項６では、装置に装填される印字用テープの幅を検出するテープ幅検出手段と、前記テープ幅検出手段で検出されたテープ幅が特定の幅でないときに前記印字制御手段による印字動作を禁止する印字禁止手段とを更に備えることを特徴とする。これにより、機能キーの機能に関する表記が印字される印字用テープの幅がキーの機能表記に適当なサイズである特定の幅でないときに印字動作が禁止されることで、無駄な印字を防止できる。
【手続補正５】
【補正対象書類名】明細書
【補正対象項目名】００６３
【補正方法】変更
【補正の内容】
【００６３】
【発明の効果】
以上詳記したように本発明によれば、本印字装置の入力手段の機能キーに予め設けられた特定の言語による表記に代わって設ける表記をユーザが設定した言語で裏面に接着剤が塗布された印字用テープの印字面に印字してユーザに提供することができる。したがって、ユーザはその印字物を入力手段の機能キーに直接貼り付けてその機能キーの表記を設定した言語に対応したものに変更することができ、その変更後のキー表記を見ながら機能キーを正しく操作して印字作業を行えるようになる。